(57)【特許請求の範囲】
【請求項１】
光ファイバテープ心線（１）を長手方向に沿って分離するための光ファイバテープ心線分離工具であって、
前記光ファイバテープ心線の上面に前記長手方向に沿って切込みを入れるためのステープラー・タイプの分離具（１０）を具備し、
前記分離具が、
前記光ファイバテープ心線を嵌め込むための溝（１１ａ）が上面の先端部側に形成された本体下部（１１）と、
該本体下部に対して先端部が開閉自在になるように末端部が該本体下部の末端部に取り付けられた本体上部（１２）と、
前記本体上部の下面に尖端が前記本体下部側に向けて取り付けられた上刃（１７）と、
前記本体下部の上面の先端部にロック板回転軸（１９ａ）を中心軸として回転可能なように取り付けられたロック板（１９）とを備え、
前記ロック板の該ロック板回転軸と反対側の端面が、該ロック板を倒したときの該ロック板の上面とのなす角が鋭角となるような傾斜面とされており、
前記本体上部の先端部側の端面の下面側が、前記光ファイバテープ心線を前記本体下部の前記溝に嵌め込んでいない状態で前記本体上部の先端部を該本体下部に対して閉じたのちに前記ロック板を倒すと該ロック板の傾斜面と密着する傾斜面とされている、
ことを特徴とする、光ファイバテープ心線分離工具。
【請求項２】
前記分離具が、前記本体上部の先端部を前記本体下部に対して開いた状態では前記上刃の尖端が埋もれるとともに、前記本体上部の先端部を前記本体下部に対して閉じた状態では前記本体下部の前記溝に挟まって該溝に嵌め込まれた前記光ファイバテープ心線の上面を押えて前記上刃の尖端が下面から突出するようにされた、弾性部材からなる押え部材（１８）をさらに備えることを特徴とする請求項１記載の光ファイバテープ心線分離工具。
【請求項３】
前記光ファイバテープ心線の捩れを防止するための捩れ防止具（２０）をさらに具備し、
該捩れ防止具が、
前記光ファイバテープ心線の分離部分の両端近傍をそれぞれ把持するための２個の把持部（２１）と、
長手方向に沿って前記２個の把持部がスライドするように該２個の把持部が取り付けられた連結棒（２２）と、
両端が前記２個の把持部にそれぞれ取り付けられた、かつ、複数個の玉を紐状部材で連結して数珠状にされた固定部（２３）と、
を備えることを特徴とする、請求項１または２記載の光ファイバテープ心線分離工具。
【請求項４】
前記２個の把持部が、先端部で前記光ファイバテープ心線の上面側および下面側から該光ファイバテープ心線を挟んで把持するクリップ状のものであり、
前記固定部の両端が、前記２個の把持部の末端部にそれぞれ取り付けられている、
ことを特徴とする、請求項３記載の光ファイバテープ心線分離工具。
【請求項５】
前記捩れ防止具の前記連結棒が円柱状の形状を有し、
下部半円状溝（１１ｂ）が、前記分離具の前記本体下部の上面の先端部に形成されており、
上部半円状溝（１２ａ）が、前記分離具の前記本体上部の下面の先端部に、該本体上部の先端部を前記本体下部に対して閉じたときに前記下部半円状溝と互いに対向して円管となるように形成されており、
前記光ファイバテープ心線を前記分離具の前記本体下部の前記溝に嵌め込んだのちに前記本体上部の先端部を前記本体下部に対して閉じると、前記捩れ防止具の前記連結棒が前記下部半円状溝および前記上部半円状溝によって挟まれるようにされている、
ことを特徴とする、請求項３または４記載の光ファイバテープ心線分離工具。
【請求項６】
請求項５記載の光ファイバテープ心線分離工具を使用して前記光ファイバテープ心線を長手方向に沿って分離するための光ファイバテープ心線分離方法であって、
前記捩れ防止具の前記２個の把持部で前記光ファイバテープ心線の分離部分の両端近傍をそれぞれ把持し、
前記光ファイバテープ心線を前記分離具の前記本体下部の前記溝に嵌め込み、
前記本体上部の先端部を前記本体下部に対して閉じて、前記捩れ防止具の前記連結棒を前記下部半円状溝および前記上部半円状溝によって挟み、
前記分離具の前記ロック板を倒し、
前記分離具を前記捩れ防止具の前記連結棒の長手方向に沿ってスライドさせて、該分離具の前記上刃によって前記光ファイバテープ心線の上面に切込みを入れる、
ことを特徴とする、光ファイバテープ心線分離方法。
【請求項７】
前記分離具の前記ロック板の傾斜面が前記分離具の前記本体上部の傾斜面と密着するまで該ロック板を倒すことができたときにのみ、前記分離具を前記捩れ防止具の前記連結棒の長手方向に沿ってスライドさせて、該分離具の前記上刃によって前記光ファイバテープ心線の上面に切込みを入れることを特徴とする、請求項６記載の光ファイバテープ心線分離方法。
【発明の詳細な説明】
【技術分野】
【０００１】
本発明は、光ファイバテープ心線を長手方向に沿って分離するのに好適な光ファイバテープ心線分離工具および光ファイバテープ心線分離方法に関する。
【背景技術】
【０００２】
光ファイバケーブルの後分岐接続作業などを行うために光ファイバケーブルから光ファイバテープ心線を取り出して個々の光ファイバ心線を接続する場合に、光ファイバテープ心線分離工具を使用して光ファイバテープ心線を長手方向に沿って分離している（たとえば下記の特許文献１，２参照）。
【先行技術文献】
【特許文献】
【０００３】
【特許文献１】特開平１１−２３７５１０号公報
【特許文献２】特開２００３−３０７６２９号公報
【発明の概要】
【発明が解決しようとする課題】
【０００４】
しかしながら、光ファイバテープ心線分離工具を使用した光ファイバテープ心線分離作業を電柱上のクロージャ内などで行う場合には、足場が悪いため、作業員は崩れた体勢で作業を行っている。そのため、経験の少ない作業員が光ファイバテープ心線分離工具を使って安易に作業を行うと、使用中の光ファイバ心線を傷つけたり切断したりしてしまうという問題があった。
【０００５】
また、上記の特許文献１に開示された無切断ケーブル用光ファイバテープ心線分割工具のように、本体下部に形成された溝に光ファイバテープ心線を嵌め込んで保持する場合には、長尺の光ファイバケーブルが捩れると、溝に嵌め込んだ光ファイバテープ心線も捩れてしまったり光ファイバテープ心線の一部が溝から飛び出してしまったりして、光ファイバテープ心線をうまく分離することができないという問題があった。
【０００６】
本発明の目的は、光ファイバテープ心線を長手方向に沿って簡単に分離することができる光ファイバテープ心線分離工具および光ファイバテープ心線分離方法を提供することにある。
【課題を解決するための手段】
【０００７】
本発明の第１の光ファイバテープ心線分離工具は、光ファイバテープ心線（１）を長手方向に沿って分離するための光ファイバテープ心線分離工具であって、前記光ファイバテープ心線の上面に前記長手方向に沿って切込みを入れるためのステープラー・タイプの分離具（１０）を具備し、前記分離具が、前記光ファイバテープ心線を嵌め込むための溝（１１ａ）が上面の先端部側に形成された本体下部（１１）と、該本体下部に対して先端部が開閉自在になるように末端部が該本体下部の末端部に取り付けられた本体上部（１２）と、前記本体上部の下面に尖端が前記本体下部側に向けて取り付けられた上刃（１７）と、前記本体下部の上面の先端部にロック板回転軸（１９ａ）を中心軸として回転可能なように取り付けられたロック板（１９）とを備え、前記ロック板の前記ロック板回転軸と反対側の端面が、該ロック板を倒したときの該ロック板の上面とのなす角が鋭角となるような傾斜面とされており、前記本体上部の先端部側の端面の下面側が、前記光ファイバテープ心線を前記本体下部の前記溝に嵌め込んでいない状態で前記本体上部の先端部を該本体下部に対して閉じたのちに前記ロック板を倒すと該ロック板の傾斜面と密着する傾斜面とされていることを特徴とする。
ここで、前記分離具が、前記本体上部の先端部を前記本体下部に対して開いた状態では前記上刃の尖端が埋もれるとともに、前記本体上部の先端部を前記本体下部に対して閉じた状態では前記本体下部の前記溝に挟まって該溝に嵌め込まれた前記光ファイバテープ心線の上面を押えて前記上刃の尖端が下面から突出するようにされた、弾性部材からなる押え部材（１８）をさらに備えてもよい。
本発明の第２の光ファイバテープ心線分離工具は、前記光ファイバテープ心線の捩れを防止するための捩れ防止具（２０）をさらに具備し、該捩れ防止具が、前記光ファイバテープ心線の分離部分の両端近傍をそれぞれ把持するための２個の把持部（２１）と、長手方向に沿って前記２個の把持部がスライドするように該２個の把持部が取り付けられた連結棒（２２）と、両端が前記２個の把持部にそれぞれ取り付けられた、かつ、複数個の玉を紐状部材で連結して数珠状にされた固定部（２３）とを備えることを特徴とする。
ここで、前記２個の把持部が、先端部で前記光ファイバテープ心線の上面側および下面側から該光ファイバテープ心線を挟んで把持するクリップ状のものであり、前記固定部の両端が、前記２個の把持部の末端部にそれぞれ取り付けられていてもよい。
本発明の第３の光ファイバテープ心線分離工具は、本発明の第１の光ファイバテープ心線分離工具の分離具と、本発明の第２の光ファイバテープ心線分離工具の捩れ防止具とを具備し、前記捩れ防止具の前記連結棒が円柱状の形状を有し、下部半円状溝（１１ｂ）が、前記分離具の前記本体下部の上面の先端部に形成されており、上部半円状溝（１２ａ）が、前記分離具の前記本体上部の下面の先端部に、該本体上部の先端部を前記本体下部に対して閉じたときに前記下部半円状溝と互いに対向して円管となるように形成されており、前記光ファイバテープ心線を前記分離具の前記本体下部の前記溝に嵌め込んだのちに前記本体上部の先端部を前記本体下部に対して閉じると、前記捩れ防止具の前記連結棒が前記下部半円状溝および前記上部半円状溝によって挟まれるようにされていることを特徴とする。
本発明の光ファイバテープ心線分離方法は、本発明の第３の光ファイバテープ心線分離工具を使用して前記光ファイバテープ心線を長手方向に沿って分離するための光ファイバテープ心線分離方法であって、前記捩れ防止具の前記２個の把持部で前記光ファイバテープ心線の分離部分の両端近傍をそれぞれ把持し、前記光ファイバテープ心線を前記分離具の前記本体下部の前記溝に嵌め込み、前記本体上部の先端部を前記本体下部に対して閉じて、前記捩れ防止具の前記連結棒を前記下部半円状溝および前記上部半円状溝によって挟み、前記分離具の前記ロック板を倒し、前記分離具を前記捩れ防止具の前記連結棒の長手方向に沿ってスライドさせて、該分離具の前記上刃によって前記光ファイバテープ心線の上面に切込みを入れることを特徴とする。
ここで、前記分離具の前記ロック板の傾斜面が前記分離具の前記本体上部の傾斜面と密着するまで該ロック板を倒すことができたときにのみ、前記分離具を前記捩れ防止具の前記連結棒の長手方向に沿ってスライドさせて、該分離具の前記上刃によって前記光ファイバテープ心線の上面に切込みを入れてもよい。
【発明の効果】
【０００８】
本発明の光ファイバテープ心線分離工具および光ファイバテープ心線分離方法は、以下の効果を奏する。
（１）本発明の第１の光ファイバテープ心線分離工具では、分離具がロック板を備えることにより、ロック板を倒したときにロック板の傾斜面が本体上部の傾斜面と密着しているか否かを確認することによって、本体下部と本体上部との間に光ファイバテープ心線が挟み込まれているか否かを容易に判定することができるため、作業員は光ファイバテープ心線を傷付けることなく光ファイバテープ心線分離作業を行うことができる。
（２）本発明の第２の光ファイバテープ心線分離工具では、捩れ防止具を具備することにより、長尺の光ファイバケーブルが捩れても、光ファイバテープ心線の分離作業を行う部分が捩れたり溝から飛び出したりすることを防止することができる。
（３）本発明の第３の光ファイバテープ心線分離工具では、分離具および捩れ防止具を具備することにより、上記（１）および（２）の効果を得ることができる。
（４）本発明の光ファイバテープ心線分離方法では、本発明の第３の光ファイバテープ心線分離工具を使用して光ファイバテープ心線分離作業を行うことにより、上記（１）および（２）の効果を得ることができる。
（５）使用中の光ファイバ心線を誤って切断する事故を防止できるため、通信回線の品質向上などを図ることができる。
【図面の簡単な説明】
【０００９】
【図１】本発明の一実施例による光ファイバテープ心線分離工具の構成を示す図であり、（ａ）は分離具１０の構成を説明するための図であり、（ｂ）は捩れ防止具２０の構成を説明するための図である。
【図２】図１（ａ）に示した分離具１０の使用方法について説明するための図である。
【図３】図１（ａ）に示した分離具１０および図１（ｂ）に示した捩れ防止具２０を使用して光ファイバテープ心線１の分離作業を行う手順について説明するための図である。
【発明を実施するための形態】
【００１０】
上記の目的を、本体下部と本体上部との間に光ファイバテープ心線が挟み込まれているか否かを判定するためのロック板を備えた分離具と光ファイバテープ心線の捩れを防止するための捩れ防止具とを使用して光ファイバテープ心線を長手方向に分離することにより実現した。
【実施例１】
【００１１】
以下、本発明の光ファイバテープ心線分離工具および光ファイバテープ心線分離方法の実施例について図面を参照して説明する。
本発明の一実施例による光ファイバテープ心線分離工具は、図１（ａ）に示す分離具１０と、同図（ｂ）に示す捩れ防止具２０とを具備する。
【００１２】
分離具１０は、ステープラー・タイプのものであり、直方体状の本体下部１１と、直方体状の本体上部１２と、本体下部１１と本体上部１２とを連結するための２枚の連結板１３と、両端が本体下部１１の末端部の両側面に連結板１３を間に入れてそれぞれ取り付けられた固定軸１４と、両端が本体上部１２の末端部の両側面に連結板１３を間に入れてそれぞれ取り付けられた回転軸１５とを備える。
これにより、本体上部１２は本体下部１１に対して回転軸１５を中心軸として回動可能とされている。すなわち、本体上部１２の先端部は本体下部１１に対して開閉可能にされている。
【００１３】
なお、以下の説明では、図１（ａ）図示左右方向（本体下部１１および本体上部１２の長手方向）を「横方向」とし、図１（ａ）図示上下方向（本体下部１１および本体上部１２の長手方向に対して垂直な方向）を「縦方向」とする。
また、光ファイバテープ心線１の分離作業を行うに際して分離具１０の上刃１７によって切込みを与える光ファイバテープ心線１の面を「光ファイバテープ心線１の上面」とする。
さらに、図１（ａ）に示した光ファイバテープ心線１の光ファイバ心線が並べられた方向（図示左右方向）に沿った長さを「光ファイバテープ心線１の幅」とする。
【００１４】
本体下部１１の横方向に沿って中心よりも先端部側の上面には、光ファイバテープ心線１の下面が底面に密着するように光ファイバテープ心線１を嵌め込むための溝１１ａが形成されている。
溝１１ａの幅（本体下部１１の横方向に沿った長さ）は、嵌め込んだ光ファイバテープ心線１が溝１１ａの幅方向に沿って自由に動かないように、光ファイバテープ心線１の幅よりも若干大きくされている。
【００１５】
本体下部１１の上面の先端部には、ロック板１９がロック板回転軸１９ａを中心軸として回動可能なように取り付けられている。
ロック板１９のロック板回転軸１９ａ側の端面は垂直面とされているが、ロック板１９のロック板回転軸１９ａと反対側の端面は、図１（ａ）に示すようにロック板１９を倒したときのロック板１９の上面とのなす角が鋭角となるような傾斜面とされている。
【００１６】
本体下部１１の溝１１ａよりも先端側には、半円状の下部半円溝１１ｂが形成されている。
【００１７】
本体上部１２は、一端が本体下部１１の底面に固定された板バネ（不図示）のバネ力によって本体上部１２の先端部が本体下部１１に対して開くように（すなわち、本体上部１２の先端部が本体下部１１の先端部から離れるように）されている。
また、本体上部１２の縦方向に沿って中心よりも先端部側の下面には、円錐状の上刃１７が尖端を本体下部１１側に向けて取り付けられている。
なお、上刃１７は、尖端部が光ファイバテープ心線１の上面（２次被覆の上面）にのみ切込みを与えるように取り付けられている。
【００１８】
上刃１７は、本体上部１２の先端部を本体下部１１に対して開いた状態では、図２（ａ）に示すように、本体上部１２の下面に取り付けられた押え部材１８（スポンジやゴムなどの弾性部材からなる。）に尖端が埋もれるが、本体上部１２の先端部を本体下部１１に対して閉じた状態では、図２（ｂ）に示すように、押え部材１８によって溝１１ａに嵌め込まれた光ファイバテープ心線１の上面を押えることにより尖端が押え部材１８の下面から突出するようにされている。
そのため、押え部材１８は、本体上部１２の先端部を本体下部１１に対して閉じたときに溝１１ａに挟まる位置に取り付けられており、また、押え部材１８の幅は溝１１ａの幅よりも若干小さくされている。
【００１９】
本体上部１２の先端部側の端面の上面側は垂直面とされているが、本体上部１２の先端部側の端面の下面側は、光ファイバテープ心線１を溝１１ａに嵌め込んでいない状態で本体上部１２の先端部を本体下部１１に対して閉じたのちにロック板１９を倒すとロック板１９の傾斜面と密着する傾斜面とされている。
これにより、図２（ｃ）に示すように光ファイバテープ心線１が溝１１ａに完全に嵌め込まれている場合には、本体上部１２の先端部を本体下部１１に対して閉じたときに本体下部１１の上面と本体上部１２の下面とが密着するため、ロック板１９の傾斜面が本体上部１２の傾斜面と密着するまで（すなわち、本体上部１２の下面が本体下部１１の上面と密着するまで）ロック板１９を倒すことができる。しかし、たとえば光ファイバテープ心線１の一部が溝１１ａからはみ出て本体下部１１の上面と本体上部１２の下面との間に挟まれているような光ファイバテープ心線１が溝１１ａに完全に嵌め込まれていない場合には、ロック板１９の傾斜面が本体上部１２の傾斜面と密着するまでロック板１９を倒すことができない。その結果、作業員は、光ファイバテープ心線１を溝１１ａに嵌め込んで本体上部１２の先端部を本体下部１１に対して閉じたのちにロック板１９を倒すことにより、光ファイバテープ心線１が溝１１ａに完全に嵌め込まれているか否かを容易に判定することができる。
【００２０】
本体上部１２の先端側には、半円状の上部半円溝１２ａが、本体上部１２の先端部を本体下部１１に対して閉じたときに下部半円溝１１ｂと互いに対向して円管となるように形成されている。
これにより、本体上部１２の先端部を本体下部１１に対して閉じたときに図２（ｃ）に示すように下部半円溝１１ｂおよび上部半円溝１２ａによって捩れ防止具２０の円柱状の連結棒２２を上下から挟んで、図３（ｂ）に示すように分離具１０を連結棒２２の長手方向に沿ってスライドさせることができる。
そのため、下部半円溝１１ｂおよび上部半円溝１２ａによって形成される円管の径は、連結棒２２の径よりも若干大きくされている。
【００２１】
捩れ防止具２０は、図１（ｂ）に示すように、光ファイバテープ心線１の分離部分の両端近傍をそれぞれ把持するための２個のクリップ状の把持部２１と、長手方向に沿ってスライドできるように２個の把持部２１が取り付けられた円柱状の連結棒２２とを備える。
これにより、２個の把持部２１を連結棒２２の長手方向に沿ってそれぞれスライドさせれば、光ファイバテープ心線１の分離作業に必要な間隔を自在に確保しながら光ファイバテープ心線１をピンと伸ばして２個の把持部２１で把持することができるため、光ファイバケーブルが捩れても光ファイバテープ心線１の分離部分が捩れることを防止することができる。
なお、２個の把持部２１は、先端部で光ファイバテープ心線１の上面側および下面側から光ファイバテープ心線１を挟んで把持するものであり、図１（ｂ）および図３（ａ），（ｂ）では、光ファイバテープ心線１の上面が図示紙面上側となるようにして光ファイバテープ心線１を把持している。
【００２２】
捩れ防止具２０は、両端が２個の把持部２１の末端部にそれぞれ取り付けられた、かつ、複数個の玉（ボール）を紐状部材（紐や細い針金など）で連結して数珠状にされた固定部２３を備える。
これにより、固定部２３は自由自在に任意の角度に曲げることができるとともに強度を確保することができるため、固定部２３を捻って作業員の首や胴回りまたは近辺の金具などに簡単に固定することができるので、作業員は無理のない作業姿勢で光ファイバテープ心線１の分離作業を行うことができるとともに、２個の把持部２１で光ファイバテープ心線１を把持する位置を柔軟に移動することができる。
【００２３】
次に、分離具１０および捩れ防止具２０を用いて光ファイバテープ心線１の分離作業を行う際の手順について、図２および図３を参照して説明する。
作業員は、捩れ防止具２０の２個の把持部２１を連結棒２２の長手方向に沿ってスライドさせて、光ファイバテープ心線１の分離作業に必要な間隔（たとえば、２０〜４０ｃｍ）を確保したのち、図３（ａ）に示すように光ファイバテープ心線１の分離部分をピンと伸ばしてその両端近傍を２個の把持部２１でそれぞれ把持する。
【００２４】
続いて、作業員は、分離具１０の本体上部１２の先端部を本体下部１１に対して開いた状態で、光ファイバテープ心線１が本体下部１１と本体上部１２との間に入るとともに、捩れ防止具２０の連結棒２２が本体下部１１の下部半円溝１１ｂの位置に来るまで分離具１０を図３（ｂ）図示左側の把持部２１の図示右側に分離具１０の先端部から挿入する。
【００２５】
続いて、作業員は、光ファイバテープ心線１を本体下部１１の溝１１ａに嵌め込み、捩れ防止具２０の連結棒２２を本体下部１１の下部半円溝１１ｂに挿入したのち、分離具１０の本体上部１２の先端部を本体下部１１に対して閉じる（図２（ａ）参照）。
このとき、本体下部１１の溝１１ａに嵌め込んだ光ファイバテープ心線１が図２（ａ）に示すように傾いていても、本体上部１２の先端部を本体下部１１に対して閉じることにより、光ファイバテープ心線１の上面が押え部材１８によって押えられて、同図（ｂ）に示すように光ファイバテープ心線１の傾きをなくすことができる。また、捩れ防止具２０の連結棒２２は、図２（ｂ）に示すように、下部半円溝１１ｂおよび上部半円溝１２ａによって上下から挟まれる。
なお、本体上部１２の先端部が本体下部１１に対して開いている状態では上刃１７の尖端は押え部材１８に埋もれているので、本体下部１１の溝１１ａに嵌め込んだ光ファイバテープ心線１が図２（ａ）に示すように傾いていても光ファイバテープ心線１の上面に上刃１７の尖端が当たって光ファイバテープ心線１が傷付けられることを防止することができる。
【００２６】
続いて、作業員は、図２（ｂ）に示すように分離具１０のロック板１９を倒したのち、ロック板１９の傾斜面が本体上部１２の傾斜面と密着するまでロック板１９を倒すことができたか否かを確認する。
【００２７】
ロック板１９の傾斜面が本体上部１２の傾斜面と密着するまでロック板１９を倒すことができたことを確認すると、作業員は、図３（ｂ）に示すように分離具１０を図示右方向に向かって連結棒２２の長手方向に沿ってスライドさせて、分離具１０の上刃１７によって光ファイバテープ心線１の２次被覆の上面に切込みを入れる。
【００２８】
続いて、作業員は、分離具１０のロック板１９を起こし、分離具１０の本体上部１２の先端部を本体下部１１に対して開いたのち、分離具１０を引き出す。その後、作業員は、捩れ防止具２０の２個の把持部２１から光ファイバテープ心線１を取り外す。
【００２９】
以上の説明では、分離具１０および捩れ防止具２０を使用して光ファイバテープ心線１の分離作業を行ったが、分離具１０のみを使用して光ファイバテープ心線１の分離作業を行っても、ロック板１９を備えていない従来のものに比べて光ファイバテープ心線分離作業を簡単に行うことができる。
また、分離具１０に代えて従来のものを使用しても、捩れ防止具２０を併用することにより、光ファイバテープ心線１の捩れを防止することができるため、光ファイバテープ心線分離作業を簡単に行うことができる。
【符号の説明】
【００３０】
１  光ファイバテープ心線
１０  分離具
１１  本体下部
１１ａ  溝
１１ｂ  下部半円溝
１２  本体上部
１２ａ  上部半円溝
１３  連結板
１４  固定軸
１５  回転軸
１７  上刃
１８  押え部材
１９  ロック板
１９ａ  ロック板回転軸
２０  捩れ防止具
２１  把持部
２２  連結棒
２３  固定部
【図１】
0005641954.tif 000002
【図２】
0005641954.tif 000003
【図３】
0005641954.tif 000004